(57)【特許請求の範囲】
【請求項１】
後端側がグリップ部，前端側が髪押さえ部に形成された上下のクリップ体を重ね合わせて軸支し，上下のクリップ体のグリップ部同士を開き，髪押さえ部同士を閉じるようにバネによって付勢してなるヘアークリップにおいて，
上のクリップ体の髪押さえ部の周縁から内側に折り曲げられた立ち上げ面を形成し，前記バネの付勢によって髪押さえ部同士が閉じられた際に，この立ち上げ面の内側に下のクリップ体の髪押さえ部が入るように構成され，
前記立ち上げ面の下端に山部と谷部が交互に形成され，
前記山部と谷部が，前端に行くほど狭い間隔で形成されていることを特徴とする，ヘアークリップ。
【発明の詳細な説明】
【０００１】
【発明の属する技術分野】
本発明は，髪の毛を押さえるためのヘアークリップに関する。
【０００２】
【従来の技術】
例えばカールした髪やカーラー等を挟んで髪型を固め整えるために，ヘアークリップが用いられている。このヘアークリップは，後端側がグリップ部，前端側が髪押さえ部に形成された上下のクリップ体を重ね合わせて軸支し，上下のクリップ体の髪押さえ部同士を閉じるようにバネによって付勢した構成になっている。そして，グリップ部を例えば親指と人差し指で挟んで押さえることにより，バネの付勢に抗して髪押さえ部同士を開き，その間に髪の毛を挟むようにして使用される。
【０００３】
【発明が解決しようとする課題】
ところで，従来使用されているヘアークリップは，上下のクリップ体の髪押さえ部が普通の板形状をなしているのが一般的である。しかしながら，このような従来のヘアークリップによると，髪の毛の保持力が不十分であり，特に細い髪の毛などをしっかりと押さえることができない場合があった。このため，一本のヘアークリップで太い髪の毛と細い髪の毛の両方を押さえることが困難であり，従来は太い髪の毛を押さえるためのヘアークリップとは別に，特に細い髪用の保持力の強いヘアークリップを別に用意し，両者を使い分けるなどしていた。
【０００４】
本発明は，かかる現状に鑑みて創作されたものであって，その目的とするところは，太い髪の毛でも細い髪の毛（薄い髪の毛）でもしっかりと押さえることができるヘアークリップを提供することにある。
【０００５】
【課題を解決するための手段】
かかる目的を達成するため，本発明によれば，後端側がグリップ部，前端側が髪押さえ部に形成された上下のクリップ体を重ね合わせて軸支し，上下のクリップ体のグリップ部同士を開き，髪押さえ部同士を閉じるようにバネによって付勢してなるヘアークリップにおいて，上のクリップ体の髪押さえ部の周縁から内側に折り曲げられた立ち上げ面を形成し，前記バネの付勢によって髪押さえ部同士が閉じられた際に，この立ち上げ面の内側に下のクリップ体の髪押さえ部が入るように構成され，前記立ち上げ面の下端に山部と谷部が交互に形成され，前記山部と谷部が，前端に行くほど狭い間隔で形成されていることを特徴とする，ヘアークリップが提供される。
【０００６】
本発明のヘアークリップによれば，上下のクリップ体の髪押さえ部の間に髪の毛を挟んだ際に，上のクリップ体の髪押さえ部の周縁に形成された立ち上げ面の内側に下のクリップ体の髪押さえ部が入り込んだ状態となる。このため，上下のクリップ体の髪押さえ部の間に挟まれた髪の毛は，下のクリップ体の髪押さえ部によって立ち上げ面の内側に押さえ込まれて，折り曲げられた状態で上下のクリップ体の髪押さえ部の間にしっかりと保持されることとなる。
【０００７】
【発明の実施の形態】
以下，本発明の好ましい実施の形態を図面を用いて説明する。図１〜７は何れも本発明の実施の形態にかかるヘアークリップ１を示しており，図１は平面図，図２は前面図，図３は右側面図，図４は後面図，図５は底面図である。また，図６は図１におけるＡ−Ａ断面図であり，図７は図１におけるＢ−Ｂ断面図である。なお，左側面図は図３と対称にあらわれるため，省略してある。
【０００８】
図示のヘアークリップ１は，いずれも例えばアルミなどの金属やプラスチックなどで構成される上のクリップ体２と下のクリップ体３を上下に重ね合わせた構成になっている。これら上下のクリップ体２，３の後端側（図示の実施の形態では，図１，３，５，６において右側）は，それぞれグリップ部４，５に形成されている。また，上下のクリップ体２，３の前端側（図示の実施の形態では，図１，３，５，６において左側）は，それぞれ髪押さえ部６，７に形成されている。
そして，これら上下のクリップ体２，３を，そのグリップ部４，５同士およびその髪押さえ部６，７同士を重ね合わせるようにして，軸８により互いに回転自在に軸支している。この軸８の周囲には，コイルバネ１０が巻き付けてあり，このコイルバネ１０の付勢によって，上下のクリップ体２，３のグリップ部４，５同士を開き，かつ，髪押さえ部６，７同士を閉じる力が，上下のクリップ体２，３に常に作用している。
【０００９】
上下のクリップ体２，３の髪押さえ部６，７は，何れも前端に行くほど下がるように緩やかに湾曲して形成されている。下のクリップ体３の髪押さえ部７の曲率は，上下のクリップ体２の髪押さえ部６の曲率よりも僅かに大きくなっている。また，コイルバネ１０の付勢によって髪押さえ部６，７同士が閉じられた際には，上のクリップ体２の前端が下のクリップ体３の前端よりも僅かに突出するように，上のクリップ体２の髪押さえ部６が下のクリップ体３の髪押さえ部７よりも長く形成されている。
【００１０】
上のクリップ体２の髪押さえ部６には，髪押さえ部６の周縁をほぼ直角に内側に向けて（図示の例では下に向けて）折り曲げた形状の立ち上げ面１１が形成されている。この立ち上げ面１１には，立ち上げ面１１の下端までの距離が長い山部１１ａと，立ち上げ面１１の下端までの距離が短い谷部１１ｂが交互に形成されている。またこれら山部１１ａと谷部１１ｂの間隔ｓは，上のクリップ体２の前端に行くほど次第に狭い距離となるように形成されている。更にこの実施の形態では，上のクリップ体２の髪押さえ部６には，髪押さえ部６の周縁に連続して形成された立ち上げ面１１において，上のクリップ体２の両側に左右対称に現れる位置に，山部１１ａと谷部１１ｂがそれぞれ形成されている。
【００１１】
上のクリップ体２の髪押さえ部６には，上面中央に一列に並ぶようにして，ほぼ一定の間隔で長手方向に沿って貫通孔１２が設けられている。また上のクリップ体２の髪押さえ部６周縁に形成された立ち上げ面１１にも，貫通孔１２と同程度の大きさの貫通孔１３が適当箇所に設けられている。また上のクリップ体２のグリップ部４には，これら貫通孔１２，１３よりも大きい貫通孔１４が適当箇所に設けられている。
【００１２】
下のクリップ体３の髪押さえ部７の幅は，上のクリップ体２の幅よりも僅かに小さく形成されており，前述のように上のクリップ体２の髪押さえ部６が下のクリップ体３の髪押さえ部７よりも長く形成されていることにより，コイルバネ１０の付勢によって髪押さえ部６，７同士が閉じられた際には，上のクリップ体２の髪押さえ部６の周縁に形成された立ち上げ面１１の内側に下のクリップ体３の髪押さえ部７が入り込んだ状態となるように構成されている。また下のクリップ体３の髪押さえ部７は，その中央部が低くなるように（その中央部が上のクリップ体２の髪押さえ部６から離れる方向に高くなるように）断面形状が略Ｖ字状に形成されており，その低くなっている中央部には，ほぼ一定の間隔で長手方向に沿って貫通孔１５が設けられている。また下のクリップ体３のグリップ部５には，この貫通孔１５よりも大きい貫通孔１６が適当箇所に設けられている。
【００１３】
さて，図示のヘアークリップ１を使用する場合は，先ず図８に示すように，指２０と指２１で上下のクリップ体２，３のグリップ部４，５を挟んで力を加えることにより，コイルバネ１０の付勢に抗してグリップ部４，５同士を閉じて髪押さえ部６，７同士を開く。なお図示のヘアークリップ１では，下のクリップ体３のグリップ部５が上のクリップ体２のグリップ部４よりも短く形成されているので，このように上下のクリップ体２，３のグリップ部４，５を指２０，２１で挟んで閉じた際に，グリップ部４の先端（図示の例ではグリップ部４の右端）とグリップ部５の先端（図示の例ではグリップ部５の右端）同士がぶつからないので，髪押さえ部６，７同士をより大きく開くことが可能である。そして，このように髪押さえ部６，７同士を大きく開いた状態で下のクリップ体３の前端を髪の毛の下側に差し込み，所望の位置でグリップ部４，５を挟んでいる指２０，２１を離す。すると，コイルバネ１０の付勢によって上下のクリップ体２，３の髪押さえ部６，７同士が閉じられ，これにより，髪の毛を押さえることができる。
【００１４】
この実施の形態のヘアークリップ１によれば，このように上下のクリップ体２，３の髪押さえ部６，７の間に髪の毛を挟んだ際に，上のクリップ体２の髪押さえ部６の周縁に形成された立ち上げ面１１の内側に下のクリップ体３の髪押さえ部７が入り込んだ状態となる。このため，図９に示すように，上下のクリップ体２，３の髪押さえ部６，７の間に挟まれた髪の毛２５は，下のクリップ体３の髪押さえ部７によって立ち上げ面１１の内側に押さえ込まれ，髪の毛２５が折り曲げられた状態で上下のクリップ体２，３の髪押さえ部６，７の間にしっかりと保持されることとなる。このため，例えば細い髪の毛２５などであってもしっかりと押さえることが可能となる。
【００１５】
しかもこの実施の形態のヘアークリップ１にあっては，立ち上げ面１１に山部１１ａと谷部１１ｂが交互に形成されているので，このように上下のクリップ体２，３の髪押さえ部６，７の間に髪の毛を挟んだ際に，図１０に示すように，髪の毛２５が谷部１１ｂに入り込んだ状態で保持されることとなり，挟まれた髪の毛２５が上下のクリップ体２，３の髪押さえ部６，７の長手方向にずれる心配もない。この場合，図３に示したように，山部１１ａと谷部１１ｂの間隔ｓは，上のクリップ体２の前端に行くほど次第に狭い距離となるように形成されているので，例えば比較的細い髪の毛２５などは上下のクリップ体２，３のなるべく先端で挟み，逆に太い髪の毛２５などは上下のクリップ体２，３のなるべく基端側で挟むようにすると良い。
【００１６】
図１１は，図示の形態のヘアークリップ１によって，後頭部で巻き上げた髪の毛２５を挟んで押さえた状態を示している。このヘアークリップ１は，上のクリップ体２の髪押さえ部６が下のクリップ体３の髪押さえ部７よりも長く形成されているので，巻き上げた髪の毛２５を押さえる場合に特に重要なヘアークリップ１の前端部分においてねじった髪の毛２５の束を強い力で逃がさずに押さえることができ，巻き上げた状態を表面から包み込むことにより全体をしっかりと止めることができる。なお，このように後頭部で巻き上げた髪の毛２５をねじった状態で押さえる場合は，上のクリップ体２の前端が下のクリップ体３の前端よりも５ｍｍ以上長くなっているのが良い。
【００１７】
また，この実施の形態で示したヘアークリップ１は，下のクリップ体３の髪押さえ部７の曲率が全体的にほぼ一定になっており，ヘアークリップ１で髪の毛を押さえた際に，下のクリップ体３が球面体である頭に密着するので装着感に優れているといった特徴がある。また，図示の例で説明したように上下のクリップ体２，３の髪押さえ部６，７に貫通孔１２，１３，１５をそれぞれ設け，グリップ部４，５に貫通孔１４，１６をそれぞれ設けたことにより，ヘアークリップ１全体を軽量化でき，またヘアークリップ１を手で持った際に滑ることを防止でき，ヘアークリップ１を落としたりする心配が少ない。特に，美容室などで髪の毛を扱う美容師などは，整髪料等の付着によって手が濡れていることが多いが，各貫通孔１１，１２，１４，１５，１６によって指の滑りが防止され，容易にヘアークリップ１を扱えるようになる。また，このように髪押さえ部６，７やグリップ部４，５に貫通孔を設けたことによって，装飾効果もえることができる。
【００１８】
【発明の効果】
本発明によれば，上下のクリップ体の髪押さえ部の間に髪の毛を挟んだ際に，下のクリップ体の髪押さえ部によって立ち上げ面の内側に押さえ込むことにより，髪の毛を折り曲げられた状態でしっかりと保持することができる。このため，例えば細い髪の毛などであってもしっかりと押さえることができる。また立ち上げ面に山部と谷部を交互に形成することにより，上下のクリップ体の髪押さえ部の間に髪の毛を挟んだ際に，髪の毛が谷部に入り込んだ状態で保持され，挟まれた髪の毛がずれる心配もない。
【図面の簡単な説明】
【図１】本発明の実施の形態にかかるヘアークリップの平面図である。
【図２】本発明の実施の形態にかかるヘアークリップの前面図である。
【図３】本発明の実施の形態にかかるヘアークリップの右側面図である。である。
【図４】本発明の実施の形態にかかるヘアークリップの後面図である。である。
【図５】本発明の実施の形態にかかるヘアークリップの底面図である。
【図６】図１におけるＡ−Ａ断面図である。
【図７】図１におけるＢ−Ｂ断面図である。
【図８】髪押さえ部同士を開いた状態を示す使用状態の説明図である。
【図９】下のクリップ体の髪押さえ部によって立ち上げ面の内側に押さえ込まれることにより，髪の毛が折り曲げられた状態で保持されている状態を示す断面図である。
【図１０】髪の毛の束が谷部に入り込んで押さえられている状態を示す説明図である。
【図１１】本発明の実施の形態にかかるヘアークリップによって後頭部で巻き上げた髪の毛の束を挟んで押さえた状態を示す使用状態の説明図である。
【符号の説明】
１      ヘアークリップ
２      上のクリップ体
３      下のクリップ体
４，５  グリップ部
６，７  髪押さえ部
８      軸
１０    コイルバネ
１１    立ち上げ面
１１ａ  山部
１１ｂ  谷部
１２，１３，１４，１５，１６  貫通孔
２５    髪の毛
【図１】
0004644360.tif 000002
【図２】
0004644360.tif 000003
【図３】
0004644360.tif 000004
【図４】
0004644360.tif 000005
【図５】
0004644360.tif 000006
【図６】
0004644360.tif 000007
【図７】
0004644360.tif 000008
【図８】
0004644360.tif 000009
【図９】
0004644360.tif 000010
【図１０】
0004644360.tif 000011
【図１１】
0004644360.tif 000012